(57)【要約】【課題】樹脂モールド部で磁性コアを強固に一体に保持でき、かつ小型であるリアクトルを提供する。【解決手段】巻回部を有するコイルと、前記巻回部の内部に配置される内側コア部と、前記巻回部の外部に配置される外側コア部とを有する磁性コアと、前記磁性コアの表面の少なくとも一部を覆う樹脂モールド部とを備えるリアクトルであって、前記内側コア部は、非分割構造の一体物であり、軸方向の端部近傍の表面に、軸方向と交差する方向に沿って設けられた溝部を備え、前記樹脂モールド部は、前記外側コア部の表面の少なくとも一部を覆う外側樹脂部と、前記外側樹脂部に連続し、前記内側コア部の軸方向の端部の表面を覆うと共に、前記溝部の内部に充填される内側樹脂部とを備えるリアクトル。【選択図】図１
2020027835.tif 000002
【特許請求の範囲】
【請求項１】
巻回部を有するコイルと、
前記巻回部の内部に配置される内側コア部と、前記巻回部の外部に配置される外側コア部とを有する磁性コアと、
前記磁性コアの表面の少なくとも一部を覆う樹脂モールド部とを備えるリアクトルであって、
前記内側コア部は、
非分割構造の一体物であり、
軸方向の端部近傍の表面に、軸方向と交差する方向に沿って設けられた溝部を備え、
前記樹脂モールド部は、
前記外側コア部の表面の少なくとも一部を覆う外側樹脂部と、
前記外側樹脂部に連続し、前記内側コア部の軸方向の端部の表面を覆うと共に、前記溝部の内部に充填される内側樹脂部とを備えるリアクトル。
【請求項２】
前記内側コア部の軸方向の端部が挿入される貫通孔を有する枠状体で、前記巻回部の軸方向の端面と前記外側コア部とを保持する保持部材を備え、
前記保持部材は、前記貫通孔の内周面から前記内側コア部の中央側に向かって突出し、前記溝部を露出するように、前記内側コア部の軸方向の端部の表面を支持するコア支持部を備え、
前記コア支持部は、前記貫通孔の内周面から前記溝部に通じる切欠き部を備える請求項１に記載のリアクトル。
【請求項３】
前記溝部は、前記内側コア部における対向する表面に位置する部分を有する請求項１又は請求項２に記載のリアクトル。
【請求項４】
前記コイルは、並列される一対の前記巻回部を備え、
前記内側コア部は、前記巻回部のそれぞれの内部に配置される一対の前記内側コア部を備え、
前記溝部は、前記内側コア部における対向する表面に位置する一端及び他端と、前記一端と前記他端とを繋ぐ中間部とを有し、前記中間部は、前記内側コア部における並列方向の外方側の表面に設けられている請求項３に記載のリアクトル。
【請求項５】
前記内側コア部は、樹脂中に軟磁性粉末が分散された複合材料の成形体で構成される請求項１から請求項４のいずれか１項に記載のリアクトル。
【請求項６】
前記内側コア部は、軸方向の端面から前記溝部に向かって設けられたガイド溝部を備える請求項１から請求項５のいずれか１項に記載のリアクトル。
【発明の詳細な説明】
【技術分野】
【０００１】
本開示は、リアクトルに関する。
【背景技術】
【０００２】
特許文献１には、巻線を巻回してなる巻回部を有するコイルと、閉磁路を形成する磁性コアとを備え、ハイブリッド自動車のコンバータの構成部品などに利用されるリアクトルが開示されている。磁性コアは、巻回部内に配置される複数の内コア片と、巻回部外に配置される外コア片とを備える。このリアクトルでは、磁性コアの外周面を樹脂モールド部で覆うことで、内コア片と外コア片とを一体に保持している。
【先行技術文献】
【特許文献】
【０００３】
【特許文献１】特開２０１７−１３５３３４号公報
【発明の概要】
【発明が解決しようとする課題】
【０００４】
各コア片と樹脂モールド部の材質によっては、コア片と樹脂モールド部との密着性が十分に得られず、樹脂モールド部が割れたり剥離したりして、コア片同士を一体に保持できない虞がある。このような事態を回避するために樹脂モールド部を厚くすると、巻回部と内コア片との間に大きな隙間を確保する必要があり、リアクトルが大型化する。
【０００５】
そこで、本開示は、樹脂モールド部で磁性コアを強固に一体に保持でき、かつ小型であるリアクトルを提供することを目的の一つとする。
【課題を解決するための手段】
【０００６】
本開示の一態様に係るリアクトルは、
巻回部を有するコイルと、
前記巻回部の内部に配置される内側コア部と、前記巻回部の外部に配置される外側コア部とを有する磁性コアと、
前記磁性コアの表面の少なくとも一部を覆う樹脂モールド部とを備えるリアクトルであって、
前記内側コア部は、
非分割構造の一体物であり、
軸方向の端部近傍の表面に、軸方向と交差する方向に沿って設けられた溝部を備え、
前記樹脂モールド部は、
前記外側コア部の表面の少なくとも一部を覆う外側樹脂部と、
前記外側樹脂部に連続し、前記内側コア部の軸方向の端部の表面を覆うと共に、前記溝部の内部に充填される内側樹脂部とを備える。
【発明の効果】
【０００７】
上記リアクトルは、樹脂モールド部で磁性コアを強固に一体に保持でき、かつ小型である。
【図面の簡単な説明】
【０００８】
【図１】実施形態１に係るリアクトルの概略斜視図である。
【図２】実施形態１に係るリアクトルに備える組合体の概略分解斜視図である。
【図３】図１に示す（ＩＩＩ）−（ＩＩＩ）線で切断した概略縦断面図である。
【図４】実施形態１に係るリアクトルに備える組合体を外側コア部側から見た概略正面図である。
【図５】実施形態２に係るリアクトルに備える内側コア部の軸方向の端部近傍を示す概略斜視図である。
【図６】実施形態３に係るリアクトルに備える内側コア部の軸方向の端部近傍を示す概略斜視図である。
【発明を実施するための形態】
【０００９】
［実施形態の説明］
最初に、本開示の実施態様を列記して説明する。
【００１０】
（１）本開示の一態様に係るリアクトルは、
巻回部を有するコイルと、
前記巻回部の内部に配置される内側コア部と、前記巻回部の外部に配置される外側コア部とを有する磁性コアと、
前記磁性コアの表面の少なくとも一部を覆う樹脂モールド部とを備えるリアクトルであって、
前記内側コア部は、
非分割構造の一体物であり、
軸方向の端部近傍の表面に、軸方向と交差する方向に沿って設けられた溝部を備え、
前記樹脂モールド部は、
前記外側コア部の表面の少なくとも一部を覆う外側樹脂部と、
前記外側樹脂部に連続し、前記内側コア部の軸方向の端部の表面を覆うと共に、前記溝部の内部に充填される内側樹脂部とを備える。
【００１１】
上記リアクトルは、内側コア部が非分割構造の一体物であり、かつ外側コア部の表面の少なくとも一部を覆う外側樹脂部と、内側コア部の軸方向の端部の表面を覆う内側樹脂部とが連続して設けられている。そのため、内側コア部と外側コア部とを樹脂モールド部で一体に保持できる。このとき、内側樹脂部の一部が内側コア部に形成された溝部の内部に充填される。そのため、溝部内の内側樹脂部が内側コア部に対して引っ掛けられた嵌め合い構造を形成できる。この嵌め合い構造により、樹脂モールド部で内側コア部と外側コア部とを強固に一体に保持できる。また、上記嵌め合い構造により、樹脂モールド部を必要以上に厚くすることなく、磁性コアを強固に一体に保持できる。よって、巻回部と内側コア部との間の間隔を狭くすることができ、小型なリアクトルとできる。巻回部と内側コア部との間の間隔を狭くしたとしても、内側樹脂部の一部を確実に溝部に充填できる。それは、溝部が内側コア部の軸方向の端部近傍に設けられているからである。
【００１２】
（２）上記リアクトルの一形態として、
前記内側コア部の軸方向の端部が挿入される貫通孔を有する枠状体で、前記巻回部の軸方向の端面と前記外側コア部とを保持する保持部材を備え、
前記保持部材は、前記貫通孔の内周面から前記内側コア部の中央側に向かって突出し、前記溝部を露出するように、前記内側コア部の軸方向の端部の表面を支持するコア支持部を備え、
前記コア支持部は、前記貫通孔の内周面から前記溝部に通じる切欠き部を備えることが挙げられる。
【００１３】
上記リアクトルは、保持部材を備えることで、保持部材を介して巻回部及び磁性コアの相対的な位置決めを行い易い。特に、保持部材にコア支持部を備えることで、巻回部に対する内側コア部の位置決めをより行い易い。保持部材にコア支持部を備える場合であっても、コア支持部に切り欠き部を備えることで、溝部内に樹脂を充填し易い。外側コア部の表面に樹脂をモールドして外側樹脂部を形成する際に、その樹脂が切り欠き部を通って巻回部と内側コア部との間に入り込み易いからである。つまり、上記切り欠き部が樹脂の流路として機能することで、溝部内に樹脂が充填された状態で内側樹脂部を形成し易い。
【００１４】
（３）上記リアクトルの一形態として、
前記溝部は、前記内側コア部における対向する表面に位置する部分を有することが挙げられる。
【００１５】
内側コア部における対向する表面に溝部が設けられていることで、内側コア部の表面のうち少なくとも対向する表面の二か所で内側コア部に対する内側樹脂部による嵌め合い構造を形成できる。内側コア部における対向する表面に上記嵌め合い構造を形成できることで、樹脂モールド部で内側コア部と外側コア部とを安定して強固に一体に保持し易い。
【００１６】
（４）上記リアクトルの一形態として、
前記コイルは、並列される一対の前記巻回部を備え、
前記内側コア部は、前記巻回部のそれぞれの内部に配置される一対の前記内側コア部を備え、
前記溝部は、前記内側コア部における対向する表面に位置する一端及び他端と、前記一端と前記他端とを繋ぐ中間部とを有し、前記中間部は、前記内側コア部における並列方向の外方側の表面に設けられていることが挙げられる。
【００１７】
一対の巻回部のそれぞれの内部に配置される一対の内側コア部を備える場合、磁束は、内側コア部における並列方向の内方側の領域を通過し易い。そのため、内側コア部における並列方向の外方側の表面に溝部が設けられていることで、磁束の通過が阻害され難く、磁気特性の低下を抑制できる。溝部は、内側コア部における対向する表面に一端及び他端を有し、内側コア部における並列方向の外方側の表面に設けられる中間部が一端及び他端と連続して設けられている。このような溝部を備えることで、樹脂モールド部で内側コア部と外側コア部とを安定して強固に一体に保持し易い。
【００１８】
（５）上記リアクトルの一形態として、
前記内側コア部は、樹脂中に軟磁性粉末が分散された複合材料の成形体で構成されることが挙げられる。
【００１９】
内側コア部が上記複合材料の成形体で構成されることで、内側コア部の表面に溝部を形成し易い。
【００２０】
（６）上記リアクトルの一形態として、
前記内側コア部は、軸方向の端面から前記溝部に向かって設けられたガイド溝部を備えることが挙げられる。
【００２１】
内側コア部にガイド溝部を備えることで、外側コア部の表面に樹脂をモールドして外側樹脂部を形成する際に、その樹脂がガイド溝部を通って溝部まで流れ込み易く、溝部内に樹脂が充填され易い。樹脂は、ガイド溝部内にも充填される。ガイド溝部内に樹脂が充填されることで、樹脂モールド部と内側コア部との接触面積を大きくでき、樹脂モールド部と内側コア部とを強固に保持し易い。樹脂モールド部と内側コア部とを強固に保持できることで、樹脂モールド部を介して内側コア部と外側コア部とをより強固に一体に保持できる。
【００２２】
［実施形態の詳細］
本開示の実施形態に係るリアクトルの具体例を、以下に図面を参照しつつ説明する。図中の同一符号は同一名称物を示す。なお、本発明はこれらの例示に限定されるものではなく、特許請求の範囲によって示され、特許請求の範囲と均等の意味および範囲内でのすべての変更が含まれることが意図される。
【００２３】
＜実施形態１＞
≪概要≫
図１〜図４に基づいて、実施形態１に係るリアクトル１を説明する。実施形態１に係るリアクトル１は、巻回部２ｃを有するコイル２と、巻回部２ｃの内外に配置されて閉磁路を形成する磁性コア３と、磁性コア３の表面の少なくとも一部を覆う樹脂モールド部５とを備える。磁性コア３は、巻回部２ｃの内部に配置される内側コア部３１と、巻回部２ｃの外部に配置される外側コア部３２とを備える。この例のリアクトル１は、更に、巻回部２ｃと磁性コア３とを保持する保持部材４を備える。実施形態１に係るリアクトル１は、内側コア部３１が非分割構造の一体物である点を特徴の一つとする。また、実施形態１に係るリアクトル１は、内側コア部３１の軸方向の端部近傍の表面に溝部３１１を備え、樹脂モールド部５の一部が上記溝部３１１に充填されている点を特徴の一つとする。
【００２４】
リアクトル１は、例えば、コンバータケースなどの設置対象（図示せず）に設置される。ここでは、リアクトル１において、図１における紙面下側が、設置対象に面する設置側であり、設置側を「下」、その反対側を「上」とし、上下方向を縦方向（高さ方向）とする。また、コイル２の巻回部２ｃの並列方向を横方向（幅方向）とし、巻回部２ｃの軸方向に沿った方向を長さ方向とする。以下、リアクトル１の構成について詳しく説明する。
【００２５】
≪コイル≫
コイル２は、図１及び図２に示すように、巻線を巻回してなる一対の巻回部２ｃと、両巻回部２ｃの一方の端部同士が接合されてなる接合部２ｒとを備える。巻回部２ｃは、巻線を螺旋状に巻回して筒状に形成される。両巻回部２ｃは、互いの軸方向が平行するように横並び（並列）に配置されている。接合部２ｒの接続には、各種の溶接や半田付け、ロウ付けなどが利用できる。両巻回部２ｃの他方の端部は、巻回部２ｃから引き出され、端子金具（図示せず）が取り付けられ、コイル２に電力供給を行う電源などの外部装置（図示せず）に電気的に接続される。
【００２６】
巻回部２ｃは、銅などからなる平角線の導体と、導体の外周を覆うポリアミドイミドなどからなる絶縁被覆とを備える被覆平角線（いわゆるエナメル線）によって構成される。この例では、巻回部２ｃはいずれも、角部を丸めた四角筒状のエッジワイズコイルである。また、巻回部２ｃはいずれも、形状・大きさ・巻回方向・ターン数が同一である。コイル２は、二つの巻回部２ｃを横並びに備える同一仕様のもので、公知のものを利用できる。例えば、１本の連続する巻線で形成されてもよいし、両巻回部２ｃの端部同士が溶接などで接合されたものでもよい。巻線や巻回部２ｃの仕様は適宜変更でき、二つの巻回部２ｃの形状・大きさ・巻回方向・ターン数が異なっていてもよい。巻回部２ｃは、円筒状に形成してもよい。円筒状の巻回部とは、その端面形状が閉曲面形状（楕円形状や真円形状、レーストラック形状など）の巻回部のことである。
【００２７】
≪磁性コア≫
磁性コア３は、図１及び図２に示すように、二つの巻回部２ｃのそれぞれの内部に配置される一対の内側コア部３１と、巻回部２ｃの外部に配置される一対の外側コア部３２とを備える。磁性コア３は、離間して配置される一対の内側コア部３１を挟むように一対の外側コア部３２が配置され、各内側コア部３１の端面３１ｅと外側コア部３２の内端面３２ｅとを接触させて環状に形成される。コイル２が励磁されると環状の磁性コア３に閉磁路が形成される。
【００２８】
〔内側コア部〕
内側コア部３１は、磁性コア３のうち、巻回部２ｃの軸方向に沿った部分である。この例では、磁性コア３のうち、巻回部２ｃの軸方向に沿った部分の両端部が巻回部２ｃの端面から突出している。その突出する部分も内側コア部３１の一部である。巻回部２ｃから突出した内側コア部３１の端部は、後述する保持部材４の貫通孔４０（図２）に挿入される。
【００２９】
内側コア部３１は、非分割構造の一体物である。内側コア部３１が非分割構造の一体物であることで、後述する溝部３１１内に充填された内側樹脂部５１で嵌め合い構造を形成した際に、樹脂モールド部５により内側コア部３１と外側コア部３２とを強固に一体に保持できる。内側コア部３１の形状は、巻回部２ｃの内部形状に沿った形状であれば特に限定されない。この例の内側コア部３１は、図２に示すように略直方体状である。
【００３０】
内側コア部３１は、軸方向の端部近傍の表面に、軸方向と交差する方向に沿って設けられた溝部３１１を備える。内側コア部３１の軸方向の端部近傍とは、内側コア部３１の長さ方向の全長をＬとしたとき、内側コア部３１の端面３１ｅから全長Ｌの２０％以下の範囲のことである。
【００３１】
溝部３１１は、内側コア部３１の周方向の少なくとも一部に設けられている。溝部３１１は、内側コア部３１の周方向に見たときに、連続して設けられていてもよいし、断続して設けられていてもよい。溝部３１１は、内側コア部３１の周方向の全長をＭとしたとき、内側コア部３１の周方向に沿った長さ（断続して設けられている場合にはそれらの合計長さ）が、全長Ｍの４０％以上、更にＭの７５％以上、特に全長Ｍに亘って設けられていることが挙げられる。この例の溝部３１１は、内側コア部３１の軸方向に直交する方向に沿って、つまり内側コア部３１の周方向に沿って、内側コア部３１の周方向の全長に亘って設けられている。
【００３２】
溝部３１１は、内側コア部３１における対向する表面に位置する部分を有することが好ましい。内側コア部３１が図２に示すように略直方体状である場合、内側コア部３１は、対向する二平面を有する。具体的には、内側コア部３１は、上面３１ｕと下面３１ｄとで対向する第一の二平面を有し、外側面３１ｏと内側面３１ｉとで対向する第二の二平面を有する。このとき、溝部３１１は、第一の二平面及び第二の二平面の少なくとも一方の二平面において、その対向する二平面のそれぞれの少なくとも一部に設けられることが好ましい。この場合、溝部の形態として、例えば、以下の五形態が挙げられる。一形態目は、上面３１ｕと下面３１ｄのそれぞれの少なくとも一部に溝部を備え、外側面３１ｏと内側面３１ｉには溝部を備えない。二形態目は、外側面３１ｏと内側面３１ｉのそれぞれの少なくとも一部に溝部を備え、上面３１ｕと下面３２ｄには溝部を備えない。三形態目は、上面３１ｕと下面３１ｄのそれぞれの少なくとも一部に溝部を備えると共に、上面３１ｕと下面３１ｄとを繋ぐ外側面３１ｏと内側面３１ｉの一方に上記溝部と連続又は断続して溝部を備え、外側面３１ｏと内側面３１ｉの他方には溝部を備えない。四形態目は、外側面３１ｏと内側面３１ｉのそれぞれの少なくとも一部に溝部を備えると共に、外側面３１ｏと内側面３１ｉとを繋ぐ上面３１ｕと下面３１ｄの一方に上記溝部と連続又は断続して溝部を備え、上面３１ｕと下面３１ｄの他方には溝部を備えない。五形態目は、上面３１ｕ、下面３１ｄ、外側面３１ｏ、内側面３１ｉの全ての面に連続又は断続して溝部を備える。
【００３３】
その他に、内側コア部３１が略円柱状である場合、溝部３１１は、径方向に対向する位置に設けられることが好ましい。例えば、内側コア部３１の径方向に対向する位置に設けられる一対の溝部を複数対備えてもよいし、内側コア部３１の径方向に対向する位置に設けられる部分を有するような連続した一つの溝部を備えてもよい。この構成は、換言すれば、内側コア部３１の周方向の半周以上に亘って溝部が設けられている構成といえる。
【００３４】
溝部３１１の深さは、０．５ｍｍ以上４ｍｍ以下であることが挙げられる。溝部３１１の深さが０．５ｍｍ以上であることで、溝部３１１の内部に後述する樹脂モールド部５の一部が充填され易い。溝部３１１内に充填された樹脂モールド部５（内側樹脂部５１）は、内側コア部３１に対して引っ掛けられた嵌め合い構造となる。よって、溝部３１１の深さは、深い方が上記嵌め合い構造を形成し易く、更に１ｍｍ以上、特に２ｍｍ以上であることが挙げられる。一方、溝部３１１の深さが４ｍｍ以下であることで、磁束の通過を阻害し難く、磁気特性の低下を抑制し易い。溝部３１１の深さは、更に３ｍｍ以下、特に２．５ｍｍ以下であることが挙げられる。
【００３５】
溝部３１１の断面形状は、溝部３１１の内部に後述する樹脂モールド部５の一部が充填され、その充填された樹脂モールド部５で内側コア部３１に対して引っ掛けられた嵌め合い構造を形成できる形状であれば特に限定されない。溝部３１１の断面形状は、矩形状、Ｖ字状、半円形状、半楕円形状などが挙げられる。溝部３１１の断面形状は、溝部３１１の両内側面のうち、外側コア部３２側に位置する内側面が内側コア部３１の端面３１ｅと平行な直線状であることが挙げられる。そうすることで、内側コア部３１と外側コア部３２とを分離する力に対する抗力が高い上記嵌め合い構造を形成し易い。この例では、溝部３１１の断面形状は、矩形状である。
【００３６】
内側コア部３１は、樹脂中に軟磁性粉末が分散された複合材料の成形体で構成されることが挙げられる。内側コア部３１が上記複合材料の成形体で構成されることで、内側コア部３１の表面に溝部３１１を形成し易い。複合材料による内側コア部３１の成形時に、溝部３１１も併せて形成できるからである。内側コア部３１は、軟磁性粉末や、絶縁被覆を備える被覆軟磁性粉末などを圧縮成形した圧粉成形体で構成することもできる。
【００３７】
（複合材料）
複合材料の軟磁性粉末は、鉄などの鉄族金属やその合金（Ｆｅ−Ｓｉ合金、Ｆｅ−Ｎｉ合金など）などで構成される軟磁性粒子の集合体である。軟磁性粒子の表面には、リン酸塩などで構成される絶縁被覆が形成されていてもよい。一方、複合材料に含まれる樹脂としては、熱硬化性樹脂、熱可塑性樹脂、常温硬化性樹脂、低温硬化性樹脂などが挙げられる。熱硬化性樹脂は、例えば、不飽和ポリエステル樹脂、エポキシ樹脂、ウレタン樹脂、シリコーン樹脂などが挙げられる。熱可塑性樹脂は、ポリフェニレンスルフィド（ＰＰＳ）樹脂、ポリテトラフルオロエチレン（ＰＴＦＥ）樹脂、液晶ポリマー（ＬＣＰ）、ナイロン６やナイロン６６といったポリアミド（ＰＡ）樹脂、ポリブチレンテレフタレート（ＰＢＴ）樹脂、アクリロニトリル・ブタジエン・スチレン（ＡＢＳ）樹脂などが挙げられる。その他、不飽和ポリエステルに炭酸カルシウムやガラス繊維が混合されたＢＭＣ（Ｂｕｌｋ  ｍｏｌｄｉｎｇ  ｃｏｍｐｏｕｎｄ）、ミラブル型シリコーンゴム、ミラブル型ウレタンゴムなども利用できる。上記複合材料は、軟磁性粉末及び樹脂に加えて、アルミナやシリカなどの非磁性かつ非金属粉末（フィラー）を含有すると、放熱性をより高められる。非磁性かつ非金属粉末の含有量は、０．２質量％以上２０質量％以下、更に０．３質量％以上１５質量％以下、０．５質量％以上１０質量％以下であることが挙げられる。
【００３８】
複合材料中の軟磁性粉末の含有量は、３０体積％以上８０体積％以下であることが挙げられる。飽和磁束密度や放熱性の向上の観点から、磁性粉末の含有量は更に、５０体積％以上、６０体積％以上、７０体積％以上であることが挙げられる。製造過程での流動性の向上の観点から、磁性粉末の含有量を７５体積％以下とすることが好ましい。
【００３９】
複合材料の成形体では、軟磁性粉末の充填率を低く調整すれば、その比透磁率を小さくし易い。例えば、複合材料の成形体の比透磁率を５以上５０以下とすることが挙げられる。複合材料の比透磁率は、更に１０以上４５以下、１５以上４０以下、２０以上３５以下とすることができる。
【００４０】
（圧粉成形体）
圧粉成形体の軟磁性粉末には、複合材料の軟磁性粉末と同じものを使用できる。圧粉成形体は、複合材料の成形体よりも軟磁性粉末の含有量を高め易く、飽和磁束密度や比透磁率を大きくし易い。圧粉成形体中の軟磁性粉末の含有量は、８０体積％超、更に８５体積％以上であることが挙げられる。圧粉成形体の比透磁率は、５０以上５００以下とすることが挙げられる。圧粉成形体の比透磁率は、更に８０以上、１００以上、１５０以上、１８０以上とすることができる。
【００４１】
〔外側コア部〕
外側コア部３２は、磁性コア３のうち、巻回部２ｃの外部に配置される部分である。外側コア部３２の形状は、一対の内側コア部３１の端部を繋ぐ形状であれば特に限定されない。この例の外側コア部３２は、その上面３２ｕと下面３２ｄとが略ドーム形状のブロック体である。外側コア部３２は、上面３２ｕと、下面３２ｄと、内端面３２ｅと、外周面３２ｏとを備える。内端面３２ｅは、内側コア部３１の端面３１ｅと接触する。外側コア部３２の内端面３２ｅと内側コア部３１の端面３１ｅとの間には接着剤が介在されてもよいし、無くてもよい。この例の外側コア部３２は、圧粉成形体で構成された非分割構造の一体物である。外側コア部３２は、内側コア部３１と同様の複合材料の成形体で構成されてもよいし、圧粉成形体で構成されてもよい。
【００４２】
その他に、外側コア部３２は、巻回部２ｃの内部に配置される部分を有するＵ字状であってもよい。Ｕ字状の外側コア部３２は、巻回部２ｃの外部に配置されて巻回部２ｃ間に跨るように配置されるブロック体と、このブロック体から突出して巻回部２ｃの内部にそれぞれ配置される一対の突出部とを備える。突出部は、巻回部２ｃの端面近傍に配置される程度の突出長さである。突出部が短いことで、内側コア部３１に形成された溝部３１１まで樹脂を導き易いからである。Ｕ字状の外側コア部３２の場合、突出部が、後述する保持部材４の貫通孔４０に挿入される。
【００４３】
≪保持部材≫
保持部材４は、巻回部２ｃの端面と、外側コア部３２の内端面３２ｅとの間に介在され、巻回部２ｃの軸方向の端面と外側コア部３２とを保持する部材である（図３）。保持部材４は、代表的には絶縁材料からなる。保持部材４は、コイル２と磁性コア３との間の絶縁部材として機能する。また、保持部材４は、巻回部２ｃに対する内側コア部３１及び外側コア部３２の位置決め部材として機能する。この例では、同一形状の二つの保持部材４を備える。
【００４４】
保持部材４は、一対の貫通孔４０と、コア支持部４１と、コイル収納部４２と、コア収納部４３とを備える。貫通孔４０は、保持部材４の厚み方向に貫通し、内側コア部３１の端部が挿入される。コア支持部４１は、各貫通孔４０の内周面から内側コア部３１の中央側に向かって突出する。コア支持部４１は、内側コア部３１に備わる溝部３１１を露出するように、内側コア部３１の端部の表面を支持する。コイル収納部４２は、コア支持部４１を囲むように形成された環状の凹みであって、巻回部２ｃの端面の形状に沿った深さを有する。この凹みに巻回部２ｃの端面とその近傍が嵌め込まれる。コア収納部４３は、保持部材４における外側コア部３２側の面の一部が厚み方向に凹むことで形成され、外側コア部３２の内端面３２ｅ及びその近傍が嵌め込まれる。保持部材４の貫通孔４０に嵌め込まれた内側コア部３１の端面３１ｅはコア収納部４３の底面とほぼ面一になっている。そのため、内側コア部３１の端面３１ｅと、外側コア部３２の内端面３２ｅとが接触する。
【００４５】
ここで、この例の貫通孔４０の四隅（コア支持部４１と一体になった部分）は、内側コア部３１の端面３１ｅの角部にほぼ沿った形状となっている。この貫通孔４０の四隅によって、貫通孔４０内に内側コア部３１が支持される。この貫通孔４０の四隅を除く上縁部、下縁部、及び両側縁部は、内側コア部３１の端面３１ｅの輪郭線よりも外方側に拡がっている。よって、貫通孔４０に内側コア部３１を挿入した状態では、その拡がった部分の位置に、保持部材４を貫通する隙間が形成される。コア収納部４３は、上述した一対の貫通孔４０を含む底面を備える浅底の凹みである。コア収納部４３に外側コア部３２を嵌め込むと、コア収納部４３に嵌め込まれた外側コア部３２の内端面３２ｅは、コア収納部４３の底面に当接して支持される。この底面は、一対の貫通孔４０で挟まれる高さ方向に沿った部分と、貫通孔４０よりも下方側で幅方向に沿った部分とで構成される逆Ｔ字状の面である。このコア収納部４３は、図４の概略正面図に示すように、外側コア部３２の輪郭線にほぼ沿った形状となっているが、コア収納部４３の上縁部と側縁部の上方側の部分は、上記輪郭線よりも外方側に拡がっている。その外方に拡がっている部分以外の部分は、外側コア部３２の輪郭線に沿っているので、コア収納部４３に嵌め込まれた外側コア部３２の左右方向（貫通孔４０の並列方向）への移動は規制される。
【００４６】
図４に示すように、上記コア収納部４３に外側コア部３２を嵌め込むと、コア収納部４３の内壁面と外側コア部３２の外周面３２ｏとの間に隙間（図４に示すハッチング部分）が形成される。この隙間は、貫通孔４０の内周面と内側コア部３１の周面との間に形成された隙間に連通している。そのため、外側コア部３２の表面（上面３２ｕ、下面３２ｄ、及び外周面３２ｏ）に樹脂をモールドして外側樹脂部５２を形成する際に、その樹脂が巻回部２ｃと内側コア部３１との間にまで流れ込む。この巻回部２ｃと内側コア部３１との間に流れ込んだ樹脂は、内側コア部３１の表面（上面３１ｕ、下面３２ｄ、外側面３１ｏ、内側面３１ｉ）を覆う内側樹脂部５１を形成する。つまり、上記隙間は、巻回部２ｃと内側コア部３１との間に樹脂を導く樹脂充填孔として機能する。
【００４７】
この例では、コア支持部４１は、貫通孔４０の内周面の両側縁部から内側コア部３１に形成された溝部３１１に通じる切欠き部４１１を備える。この切欠き部４１１は、貫通孔４０の内周面と内側コア部３１の周面との間の隙間に対応した箇所に形成されている。上述したコア収納部４３の内壁面と外側コア部３２の外周面３２ｏとの間の隙間、及び貫通孔４０の内周面と内側コア部３１の周面との間の隙間は、樹脂の流路となる。この流路を通じて流れ込んだ樹脂は、切欠き部４１１を通って巻回部２ｃと内側コア部３１との間に入り込み易く、溝部３１１内に樹脂が充填され易い。つまり、切欠き部４１１は、巻回部２ｃと内側コア部３１との間に樹脂を導く樹脂流路として機能する。この例の切欠き部４１１は、貫通孔４０の軸方向に沿って形成されている。
【００４８】
保持部材４は、例えば、ポリフェニレンスルフィド（ＰＰＳ）樹脂、ポリテトラフルオロエチレン（ＰＴＦＥ）樹脂、液晶ポリマー（ＬＣＰ）、ナイロン６やナイロン６６といったポリアミド（ＰＡ）樹脂、ポリブチレンテレフタレート（ＰＢＴ）樹脂、アクリロニトリル・ブタジエン・スチレン（ＡＢＳ）樹脂などの熱可塑性樹脂で構成することができる。その他、不飽和ポリエステル樹脂、エポキシ樹脂、ウレタン樹脂、シリコーン樹脂などの熱硬化性樹脂などで保持部材４を形成することができる。これらの樹脂にセラミックスフィラーを含有させて、保持部材４の放熱性を向上させても良い。セラミックスフィラーとしては、例えば、アルミナやシリカなどの非磁性粉末を利用することができる。
【００４９】
≪樹脂モールド部≫
樹脂モールド部５は、磁性コア３の表面の少なくとも一部を覆い、内側コア部３１と外側コア部３２とを一体に保持する。樹脂モールド部５は、外側コア部３２の表面の少なくとも一部を覆う外側樹脂部５２と、内側コア部３１の軸方向の端部の表面を覆う内側樹脂部５１とを備える。外側樹脂部５２と内側樹脂部５１とは、連続した一体物である。
【００５０】
図３では、巻回部２ｃと内側コア部３１との隙間を誇張して示しているが、実際には当該隙間は非常に狭くなっており、当該隙間に樹脂が入り込み難くなっている。そのため、樹脂モールド部５は、内側コア部３１の軸方向の中央部には及んでいない。内側コア部３１と外側コア部３２とを一体に保持するという樹脂モールド部５の機能に鑑みれば、樹脂モールド部５の形成範囲は、内側コア部３１の端部近傍までで十分である。なお、樹脂モールド部５は、内側コア部３１の軸方向の中央部にまで及んでいてもよい。つまり、内側樹脂部５１は、内側コア部３１の長さ方向の全長に亘って形成されていてもよい。
【００５１】
樹脂モールド部５は、巻回部２ｃと磁性コア３と保持部材４とを備える組合体１０の外周を未固化の樹脂でモールドすることで形成される。未固化の樹脂は、外側コア部３２の表面の少なくとも一部を覆う。この樹脂が固化することで、外側樹脂部５２が形成される。この例の外側樹脂部５２は、外側コア部３２の内端面３２ｅを除く表面（上面３２ｕ、下面３２ｄ、及び外周面３２ｏ）を覆うように設けられている。外側樹脂部５２は、例えば外側コア部３２の下面３２ｄを露出するように設けられていてもよい。そして、外側コア部３２の表面を未固化の樹脂でモールドする際、未固化の樹脂の一部が、巻回部２ｃと内側コア部３１との隙間にも入り込み、内側コア部３１の端部の表面を覆う。このとき、未固化の樹脂は、保持部材４のコア支持部４１に形成された切欠き部４１１を通じて、内側コア部３１に形成された溝部３１１まで流れ込み、溝部３１１の内部に充填される。巻回部２ｃと内側コア部３１との間に入り込んだ樹脂が固化することで、内側樹脂部５１が形成される。
【００５２】
溝部３１１内の内側樹脂部５１は、内側コア部３１に対して引っ掛けられた嵌め合い構造となる。この嵌め合い構造により、内側コア部３１と外側コア部３２とは、樹脂モールド部５で強固に一体化される。そのため、樹脂モールド部５の厚さを過度に厚くする必要はない。例えば、樹脂モールド部５の厚さは、５ｍｍ以下、更に３ｍｍ以下、特に２ｍｍ以下とすることができる。なお、樹脂モールド部５の厚さは、１ｍｍ以上であることが挙げられる。
【００５３】
樹脂モールド部５は、例えば、エポキシ樹脂、フェノール樹脂、シリコーン樹脂、ウレタン樹脂などの熱硬化性樹脂や、ＰＰＳ樹脂、ＰＡ樹脂、ポリイミド樹脂、フッ素樹脂などの熱可塑性樹脂、常温硬化性樹脂、あるいは低温硬化性樹脂を利用することができる。これらの樹脂にアルミナやシリカなどのセラミックスフィラーを含有させて、樹脂モールド部５の放熱性を向上させても良い。
【００５４】
≪使用態様≫
本例のリアクトル１は、ハイブリッド自動車や電気自動車、燃料電池自動車といった電動車両に搭載される双方向ＤＣ−ＤＣコンバータなどの電力変換装置の構成部材に利用することができる。本例のリアクトル１は、液体冷媒に浸漬された状態で使用することができる。液体冷媒は特に限定されないが、ハイブリッド自動車でリアクトル１を利用する場合、ＡＴＦ（Ａｕｔｏｍａｔｉｃ  Ｔｒａｎｓｍｉｓｓｉｏｎ  Ｆｌｕｉｄ）などを液体冷媒として利用できる。その他、フロリナート（登録商標）などのフッ素系不活性液体、ＨＣＦＣ−１２３やＨＦＣ−１３４ａなどのフロン系冷媒、メタノールやアルコールなどのアルコール系冷媒、アセトンなどのケトン系冷媒などを液体冷媒として利用することもできる。
【００５５】
≪効果≫
上記リアクトル１では、溝部３１１内の内側樹脂部５１が、内側コア部３１に対して引っ掛けられた嵌め合い構造となる。この嵌め合い構造により、樹脂モールド部５で内側コア部３１と外側コア部３２とを強固に一体に保持できる。また、上記嵌め合い構造により、樹脂モールド部５を必要以上に厚くすることなく、磁性コア３を強固に一体に保持できる。そのため、巻回部２ｃと内側コア部３１との間の間隔を狭くすることができ、小型なリアクトル１とできる。巻回部２ｃと内側コア部３１との間の間隔を狭くしたとしても、溝部３１１が内側コア部３１の端部近傍に設けられているため、内側樹脂部５１の一部を確実に溝部３１１に充填できる。特に、保持部材４のコア支持部４１に切欠き部４１１を備えるため、その切欠き部４１１を樹脂流路として溝部３１１まで樹脂を導き易い。この例のリアクトル１では、内側コア部３１の周方向の全長に亘って溝部３１１が設けられている。そのため、上記嵌め合い構造により、樹脂モールド部５で内側コア部３１と外側コア部３２とを安定して強固に一体に保持し易い。
【００５６】
＜実施形態２＞
図５に基づいて、実施形態２に係るリアクトルを説明する。実施形態２に係るリアクトルは、溝部３１１の形成領域が実施形態１と異なる。図５は、内側コア部３１の軸方向の端部近傍のみを図示している。溝部３１１の形成領域以外の構成は、実施形態１と同様であり、その説明を省略する。
【００５７】
この例の溝部３１１は、内側コア部３１の上面３１ｕ、下面３１ｄ、及び外側面３１ｏに連続して設けられ、内側面３１ｉには設けられない。つまり、溝部３１１は、内側コア部３１の上面３１ｕに位置する一端と、下面３１ｄに位置する他端と、一端と他端とを繋ぎ、外側面３１ｏに位置する中間部とを備える。この例では、溝部３１１の一端は、上面３１ｕの幅方向の中央部分に位置する。また、溝部３１１の他端は、下面３１ｄの幅方向の中央部分に位置する。
【００５８】
一対の巻回部２ｃのそれぞれの内部に配置される一対の内側コア部３１を備える場合、磁束は、内側コア部３１のうち巻回部２ｃの並列方向の内方側の領域を通過し易い。そのため、内側コア部３１における並列方向の内方側の表面には溝部３１１を設けない方がよい。ここで、内側コア部３１における並列方向の内方側とは、並列する一対の内側コア部３１（巻回部２ｃ）同士に挟まれる側、つまり並列する一対の内側コア部３１（巻回部２ｃ）間の中心線に近い側のことである。一方、内側コア部３１における並列方向の外方側とは、並列する一対の内側コア部３１（巻回部２ｃ）同士に挟まれる側と反対側、つまり並列する一対の内側コア部３１（巻回部２ｃ）間の中心線から遠い側のことである。内側コア部３１における並列方向の外方側の表面に溝部３１１が設けられることで、内側樹脂部５１による嵌め合い構造を形成でき、かつ磁束の通過を阻害し難い。溝部３１１が、内側コア部３１の上面３１ｕ、外側面３１ｏ、及び下面３１ｄに亘って連続して設けられていることで、樹脂モールド部５で内側コア部３１と外側コア部３２とを安定して強固に一体に保持し易い。なお、溝部３１１は、上面３１ｕ、外側面３１ｏ、及び下面３１ｄのそれぞれに断続して設けられていてもよい。
【００５９】
＜実施形態３＞
図６に基づいて、実施形態３に係るリアクトルを説明する。実施形態３に係るリアクトルは、内側コア部３１にガイド溝部３１２を備える点が実施形態１及び実施形態２と異なる。図６は、内側コア部３１の軸方向の端部近傍のみを図示している。また、図６は、溝部３１１の形成領域を図５と同様に図示している。溝部３１１の形成領域は、実施形態１と同様であってもよい。ガイド溝部３１２以外の構成は、実施形態１や実施形態２と同様であり、その説明を省略する。
【００６０】
ガイド溝部３１２は、内側コア部３１の端面３１ｅから溝部３１１に向かって設けられている。この例では、ガイド溝部３１２は、内側コア部３１の軸方向に沿って、内側コア部３１の端面３１ｅと溝部３１１とを繋ぐように設けられている。また、ガイド溝部３１２は、保持部材４のコア支持部４１に形成された切欠き部４１１に対応した位置に設けられている。ガイド溝部３１２の深さや断面形状は、溝部３１１と同様としてもよいし、異なっていてもよい。
【００６１】
内側コア部３１にガイド溝部３１２を備えることで、外側コア部３２の表面に樹脂をモールドして外側樹脂部５２を形成する際に、その樹脂がガイド溝部３１２を通って溝部３１１まで流れ込み易く、溝部３１１内に樹脂が充填され易い。樹脂はガイド溝部３１２内にも充填されるため、樹脂モールド部５と内側コア部３１との接触面積を大きくできる。よって、樹脂モールド部５と内側コア部３１とを強固に保持し易く、樹脂モールド部５を介して内側コア部３１と外側コア部３２とをより強固に一体に保持し易い。
【００６２】
ガイド溝部３１２は、内側コア部３１の軸方向に交差する方向に沿って、内側コア部３１の端面３１ｅと溝部３１１とを繋ぐように設けられていてもよい。この場合、ガイド溝部３１２内に充填された樹脂（内側樹脂部５１）によっても、内側コア部３１と外側コア部３２とを分離する力に対する抗力を作用できる嵌め合い構造を形成できる。
【符号の説明】
【００６３】
１  リアクトル
１０  組合体
２  コイル
２ｃ  巻回部
２ｒ  接合部
３  磁性コア
３１  内側コア部
３１ｅ  端面
３１ｕ  上面
３１ｄ  下面
３１ｏ  外側面
３１ｉ  内側面
３１１  溝部
３１２  ガイド溝部
３２  外側コア部
３２ｅ  内端面
３２ｏ  外周面
３２ｕ  上面
３２ｄ  下面
４  保持部材
４０  貫通孔
４１  コア支持部
４１１  切欠き部
４２  コイル収納部
４３  コア収納部
５  樹脂モールド部
５１  内側樹脂部
５２  外側樹脂部
【図１】
2020027835.tif 000003
【図２】
2020027835.tif 000004
【図３】
2020027835.tif 000005
【図４】
2020027835.tif 000006
【図５】
2020027835.tif 000007
【図６】
2020027835.tif 000008